(57)【要約】      （修正有）【課題】ＭＩＭＯ動作のための周期および非周期ＣＳＩ報告を実行するための技法を提供する。【解決手段】周期および非周期チャネル状態情報（ＣＳＩ）報告のための異なるパラメータを用いてＭＩＭＯが可能であるユーザ機器（ＵＥ）を構成し、ここにおいて、異なるパラメータが、どんなリソースを測定すべきかまたはどんな情報を報告すべきかのうちの少なくとも１つを示す１６０２。構成に従ってＵＥから周期および非周期ＣＳＩ報告を受信する１６０４。【選択図】図１６
2019083543.tif 000002
【特許請求の範囲】
【請求項１】
基地局（ＢＳ）によるワイヤレス通信の方法であって、
周期および非周期チャネル状態情報（ＣＳＩ）報告のための異なるパラメータを用いてＭＩＭＯが可能であるユーザ機器（ＵＥ）を構成することと、ここにおいて、前記異なるパラメータが、どんなリソースを測定すべきかまたはどんな情報を報告すべきかのうちの少なくとも１つを示す、
前記構成に従って前記ＵＥから周期および非周期ＣＳＩ報告を受信することと
を備える、方法。
【請求項２】
前記ＵＥが、９つ以上のアンテナポートを用いた３Ｄ  ＭＩＭＯが可能である、請求項１に記載の方法。
【請求項３】
前記構成することが、
周期ＣＳＩ報告のための情報の第１のセットを報告するように前記ＵＥを構成することと、
非周期ＣＳＩ報告のための情報の第２のセットを報告するように前記ＵＥを構成することと
を備える、請求項１に記載の方法。
【請求項４】
情報の前記第１のセットでなく、情報の前記第２のセットが、プリコーディング行列インジケータ（ＰＭＩ）およびランク指示（ＲＩ）情報を備える、
請求項３に記載の方法。
【請求項５】
ＣＳＩが物理アップリンク共有チャネル（ＰＵＳＣＨ）を使用して非周期的に報告されるとき、情報の前記第２のセットはＰＭＩおよびＲＩ情報を備え、
ＣＳＩが物理アップリンク制御チャネル（ＰＵＣＣＨ）を使用して周期的に報告されるとき、情報の前記第１のセットはＰＭＩおよびＲＩ情報を備えない、
請求項４に記載の方法。
【請求項６】
前記構成することが、
アンテナポートの第１のセットのために非周期的にＣＳＩを測定し、報告するように前記ＵＥを構成することと、
アンテナポートの第２のセットのために周期的にＣＳＩを測定し、報告するように前記ＵＥを構成することと
を備える、請求項１に記載の方法。
【請求項７】
アンテナポートの前記第２のセットが、アンテナポートの前記第１のセットのサブセットを備える、請求項６に記載の方法。
【請求項８】
アンテナポートの前記第１のセットおよびアンテナポートの前記第２のセットの指示をシグナリングすることをさらに備える、請求項６に記載の方法。
【請求項９】
異なるＵＥについて、受信されたアップリンク基準信号に基づいて、アンテナポートの異なるサブセットを決定することをさらに備える、請求項６に記載の方法。
【請求項１０】
異なるＵＥについて、前記ＵＥから受信された選択されたアンテナポートの指示に基づいて、アンテナポートの異なるサブセットを決定することをさらに備える、請求項６に記載の方法。
【請求項１１】
前記指示が、複数のあらかじめ定義されたアンテナポート選択オプションのうちの１つを選択するために使用される、請求項１０に記載の方法。
【請求項１２】
ＭＩＭＯが可能なユーザ機器（ＵＥ）によるワイヤレス通信の方法であって、
基地局から、周期および非周期チャネル状態情報（ＣＳＩ）報告のための異なるパラメータの構成を受信することと、ここにおいて、前記異なるパラメータが、どんなリソースを測定すべきかまたはどんな情報を報告すべきかのうちの少なくとも１つを示す、
前記構成に従って周期および非周期ＣＳＩを測定し、報告することと
を備える、方法。
【請求項１３】
前記ＵＥが、９つ以上のアンテナポートを用いた３Ｄ  ＭＩＭＯが可能である、Calim１２に記載の方法。
【請求項１４】
前記異なるパラメータが、
周期ＣＳＩ報告のための情報の第１のセットと、
非周期ＣＳＩ報告のための情報の第２のセットと
を備える、請求項１２に記載の方法。
【請求項１５】
情報の前記第１のセットでなく、情報の前記第２のセットが、プリコーディング行列インジケータ（ＰＭＩ）およびランク指示（ＲＩ）情報を備える、
請求項１４に記載の方法。
【請求項１６】
ＣＳＩが物理アップリンク共有チャネル（ＰＵＳＣＨ）を使用して非周期的に報告されるとき、情報の前記第２のセットはＰＭＩおよびＲＩ情報を備え、
ＣＳＩが物理アップリンク制御チャネル（ＰＵＣＣＨ）を使用して周期的に報告されるとき、情報の前記第１のセットはＰＭＩおよびＲＩ情報を備えない、
請求項１５に記載の方法。
【請求項１７】
前記異なるパラメータが、
非周期的にＣＳＩを測定し、報告するためのアンテナポートの第１のセットと、
周期的にＣＳＩを測定し、報告するためのアンテナポートの第２のセットと
を備える、請求項１２に記載の方法。
【請求項１８】
アンテナポートの前記第２のセットが、アンテナポートの前記第１のセットのサブセットを備える、請求項１７に記載の方法。
【請求項１９】
前記基地局から、アンテナポートの前記第１のセットおよびアンテナポートの前記第２のセットを示すシグナリングを受信することをさらに備える、請求項１７に記載の方法。
【請求項２０】
利用可能なアンテナポートの初期構成を受信することと、
前記利用可能なアンテナポートのサブセットの選択の指示を、前記アンテナポートのための受信された信号測定値に基づいて前記基地局に与えることと
をさらに備える、請求項１７に記載の方法。
【請求項２１】
前記指示は、選択されたアンテナポートを示すビットマップ、ここにおいて、前記ビットマップが、利用可能なアンテナポートの数よりも少数のビットを備える、または選択されたアンテナポートを示すプリコーディング行列、のうちの少なくとも１つを備え、ここにおいて、前記指示が、複数のあらかじめ定義されたアンテナポート選択オプションのうちの１つを選択するための指示を備える、請求項２０に記載の方法。
【発明の詳細な説明】
【技術分野】
【０００１】
[0001]本開示のいくつかの態様は、概して、ワイヤレス通信に関し、より詳細には、周期および非周期報告（periodic and aperiodic reporting）のための多入力多出力（ＭＩＭＯ）チャネル状態情報（ＣＳＩ）フィードバックを構成するための技法に関する。
【背景技術】
【０００２】
[0002]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムがある。
【０００３】
[0003]概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【発明の概要】
【０００４】
[0004]本開示のいくつかの態様は、周期および非周期チャネル状態情報（ＣＳＩ：channel state information）報告のための異なるパラメータに基づいて、多入力多出力（ＭＩＭＯ）ＣＳＩフィードバックを報告するための技法を提供する。
【０００５】
[0005]本開示のいくつかの態様は、基地局（ＢＳ）によるワイヤレス通信のための方法を提供する。本方法は、概して、周期および非周期チャネル状態情報（ＣＳＩ）報告のための異なるパラメータを用いてＭＩＭＯが可能であるユーザ機器（ＵＥ）を構成することと、ここにおいて、異なるパラメータが、どんなリソースを測定すべきかまたはどんな情報を報告すべきかのうちの少なくとも１つを示す、および、構成に従ってＵＥから周期および非周期ＣＳＩ報告を受信することとを含む。
【０００６】
[0006]本開示のいくつかの態様は、ＭＩＭＯ可能（MIMO-capable）ユーザ機器（ＵＥ）によるワイヤレス通信のための方法を提供する。本方法は、概して、基地局から、周期および非周期チャネル状態情報（ＣＳＩ）報告のための異なるパラメータの構成を受信することと、ここにおいて、異なるパラメータが、どんなリソースを測定すべきかまたはどんな情報を報告すべきかのうちの少なくとも１つを示す、および、構成に従って周期および非周期ＣＳＩを測定し、報告することとを含む。
【０００７】
[0007]本開示の態様はまた、上記で説明した方法による動作を実行するための様々な装置およびプログラム製品を含む。
【図面の簡単な説明】
【０００８】
【図１】[0008]本開示のいくつかの態様による、ワイヤレス通信ネットワークの一例を概念的に示すブロック図。
【図２】[0009]本開示のいくつかの態様による、ワイヤレス通信ネットワークにおいてユーザ機器（ＵＥ）と通信している基地局の一例を概念的に示すブロック図。
【図３】[0010]本開示のいくつかの態様による、ワイヤレス通信ネットワークにおけるフレーム構造の一例を概念的に示すブロック図。
【図４】[0011]本開示のいくつかの態様による、高次元多入力多出力（ＭＩＭＯ）通信のために使用され得るアンテナアレイの一例を示す図。
【図５】[0012]本開示のいくつかの態様による、アンテナポート構造の一例を示す図。
【図６Ａ】[0013]本開示のいくつかの態様による、アンテナポートステアリング（antenna port steering）の一例を示す図。
【図６Ｂ】[0014]本開示のいくつかの態様による、複数のエレベーション領域サブセクタ（multiple elevation domain subsectors）のためのアンテナポートステアリングの一例を示す図。
【図７】[0015]本開示のいくつかの態様による、周期および非周期チャネル状態情報（ＣＳＩ）報告のための別個の情報報告構成（separate information reporting configurations）の一例を示す図。
【図８】[0016]本開示のいくつかの態様による、チャネル状態情報（ＣＳＩ）を周期的および非周期的に報告するための別個のリソース構成の一例を示す図。
【図９】[0017]本開示のいくつかの態様による、ＣＳＩを周期的および非周期的に報告するための別個のリソース構成の別の例を示す図。
【図１０】[0018]本開示のいくつかの態様による、ＣＳＩを周期的および非周期的に報告するためのアンテナ選択オプションの例を示す図。
【図１１】[0019]本開示のいくつかの態様による、周期ＣＳＩ報告のためのリソース構成の一例を示す図。
【図１２】[0020]本開示のいくつかの態様による、ＣＳＩ報告のためのリソースを構成するための例示的な構造定義を示す図。
【図１３】本開示のいくつかの態様による、ＣＳＩ報告のためのリソースを構成するための例示的な構造定義を示す図。
【図１４】本開示のいくつかの態様による、ＣＳＩ報告のためのリソースを構成するための例示的な構造定義を示す図。
【図１５】[0021]本開示のいくつかの態様による、レガシーおよび３Ｄ−ＭＩＭＯ可能ＵＥのための例示的なリソース構成を示す図。
【図１６】[0022]本開示のいくつかの態様による、基地局によって実行され得る例示的な動作を示す図。
【図１７】[0023]本開示のいくつかの態様による、ユーザ機器によって実行され得る例示的な動作を示す図。
【詳細な説明】
【０００９】
[0024]本開示のいくつかの態様は、チャネル状態情報（ＣＳＩ）報告のためのフィードバックオーバーヘッドを低減し得る、周期および非周期多入力多出力（ＭＩＭＯ）ＣＳＩフィードバックのための異なるパラメータを構成するための技法を提供する。
【００１０】
[0025]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上無線アクセス（ＵＴＲＡ）、ｃｄｍａ２０００などの、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥ／ＬＴＥアドバンストに関して説明し、以下の説明の大部分でＬＴＥ／ＬＴＥアドバンスト用語を使用する。
【００１１】
例示的なワイヤレス通信ネットワーク
[0026]図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに対する通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１２】
[0027]ｅＮＢは、マクロセル、ピコセル、フェムトセル、および／または他のタイプのセルに対する通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示す例では、ｅＮＢ１１０ａがマクロセル１０２ａのためのマクロｅＮＢであり、ｅＮＢ１１０ｂがピコセル１０２ｂのためのピコｅＮＢであり、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００１３】
[0028]ワイヤレスネットワーク１００はまた、中継局（relay stations）を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示す例では、中継局１１０ｄは、ｅＮＢ１１０ａとＵＥ１２０ｄとの間の通信を容易にするために、マクロｅＮＢ１１０ａおよびＵＥ１２０ｄと通信し得る。中継局はまた、リレーｅＮＢ、リレー基地局、リレーなどと呼ばれることもある。
【００１４】
[0029]ワイヤレスネットワーク１００は、様々なタイプのｅＮＢ、たとえば、マクロｅＮＢ、ピコｅＮＢ、フェムトｅＮＢ、リレーｅＮＢなどを含む異機種ネットワークであり得る。これらの様々なタイプのｅＮＢは、様々な送信電力レベル、様々なカバレージエリア、およびワイヤレスネットワーク１００中の干渉に対する様々なインパクトを有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００１５】
[0030]ネットワークコントローラ１３０は、ｅＮＢのセットに結合し得、これらのｅＮＢのために協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００１６】
[0031]ＵＥ１２０はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブックなどであり得る。
【００１７】
[0032]図２に、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００１８】
[0033]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてのデータシンボルを与え得る。送信プロセッサ２２０はまた、システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、ＵＥからのＰＭＩ（プリコーディング行列インジケータ（Precoding Matrix Indicator））フィードバックを使用してデータシンボルに対して、制御シンボルに対して、オーバーヘッドシンボルに対して、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００１９】
[0034]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００２０】
[0035]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２１】
[0036]コントローラ／プロセッサ２４０および２８０は、それぞれ基地局１１０およびＵＥ１２０における動作を指示し得る。基地局１１０におけるプロセッサ２４０ならびに／あるいは他のプロセッサおよびモジュール、ならびに／あるいはＵＥ１２０におけるプロセッサ２８０ならびに／あるいは他のプロセッサおよびモジュールは、本明細書で説明する技法のためのプロセスを実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００２２】
[0037]以下でさらに詳細に説明するように、ＵＥ１２０にデータを送信するとき、基地局１１０は、データ割振りサイズに少なくとも部分的に基づいてバンドリングサイズを決定し、および決定されたバンドリングサイズのバンドルされた連続リソースブロック中のデータをプリコーディングするように構成され得、ここにおいて、各バンドル中のリソースブロックは共通プリコーディング行列を用いてプリコーディングされる。すなわち、リソースブロック中のデータおよび／またはＵＥ−ＲＳなどの基準信号は、同じプリコーダを使用してプリコーディングされる。バンドルされたＲＢの各ＲＢ中のＵＥ−ＲＳのために使用される電力レベルも同じであり得る。
【００２３】
[0038]ＵＥ１２０は、基地局１１０から送信されたデータを復号するために、相補的処理を実行するように構成され得る。たとえば、ＵＥ１２０は、連続リソースブロック（ＲＢ）のバンドル中の基地局から送信された受信データのデータ割振りサイズに基づいてバンドリングサイズを決定することと、ここにおいて、各バンドル中のリソースブロック中の少なくとも１つの基準信号が共通プリコーディング行列を用いてプリコーディングされる、決定されたバンドリングサイズと、基地局から送信された１つまたは複数の基準信号（ＲＳ：reference signal）とに基づいて、少なくとも１つのプリコーディングされたチャネルを推定することと、推定されたプリコーディングされたチャネルを使用して、受信されたバンドルを復号することとを行うように構成され得る。
【００２４】
[0039]図３に、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００２５】
[0040]ＬＴＥでは、ｅＮＢは、ｅＮＢによってサポートされるセルごとにシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示すように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間内で、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間内で、ＰＤＳＣＨ上でトラフィックデータおよび／または他のデータを送信し得る。
【００２６】
[0041]いくつかのシステムでは、より高い次元の３Ｄ  ＭＩＭＯ（ならびに「より低い次元の」２Ｄ  ＭＩＭＯ）システムが、ピークデータレートを向上させるために検討されてきた。一例として、６４個のアンテナを用いる２Ｄアンテナアレイシステムでは、図４に示されているように、２Ｄ平面上に８×８アンテナのグリッドを展開することが可能である。この場合、水平ビームフォーミングならびに垂直ビームフォーミングが、アジマス（azimuth）とエレベーション（elevation）の両方におけるビームフォーミング／ＳＤＭＡ利得を活用するために使用され得る。アジマス次元のみにおいて展開される、ｅＮＢにおける８つのアンテナは、水平方向におけるＳＤＭＡまたはＳＵ−ＭＩＭＯを可能にする。エレベーションにおいてアンテナをさらに含めることは、しかしながら、（たとえば、高層ビル中の異なるフロアをサポートするために）垂直面におけるビームフォーミングをも可能にする。
【００２７】
例示的な周期および非周期チャネル状態情報報告
[0042]本開示のいくつかの態様は、周期および非周期（periodic and aperiodic）チャネル状態情報（ＣＳＩ）報告を構成するための異なるパラメータを使用するための機構を提供する。これは、あるＣＳＩ報告のためのフィードバックオーバーヘッドの低減を可能にし得る。
【００２８】
[0043]３Ｄ  ＭＩＭＯシステムを含む、いくつかのＭＩＭＯシステムでは、考慮され得るアンテナポートの数は、基地局のフォームファクタ（form factor）によって制約され得る。ＭＩＭＯシステムを開発することにおいて、水平および垂直に（すなわち、アジマスおよびエレベーション次元において）ビームフォーミングすることを可能にし得る、３次元ビームフォーミングを実行することができるアンテナアレイを開発することが望ましいことがある。たとえば、より多数のアンテナポートをもつ２Ｄアンテナアレイが、マルチユーザ（ＭＵ）３Ｄ  ＭＩＭＯを可能にするために設計され得る。
【００２９】
[0044]図５に、３Ｄ  ＭＩＭＯビームフォーミングのために使用され得る例示的な２Ｄアンテナポート構造を示す。２Ｄアンテナポート構造は、水平方向に８つのアンテナポートと垂直方向に４つのアンテナポートとを有し、合計３２個のアンテナポートを生じることができる。各アンテナポートは、２要素垂直サブアレイ（two-element vertical sub-array）から形成され得る。そのようなサブアレイは、エレベーション領域における指向性アンテナ利得を提供し得る。
【００３０】
[0045]図６Ａおよび図６Ｂに、エレベーションビームフォーミングと３Ｄ  ＭＩＭＯとをサポートするためにアンテナポートをステアリングすること（steering）の例を示す。一例では、図６Ａに示されているように、アンテナポートは、エレベーションにおいて同じ方向にステアリングされ得る。このステアリングは、フレキシブルなエレベーションビームフォーミングと３Ｄ  ＭＩＭＯ動作とを可能にし得る。別の例では、図６Ｂに示されているように、エレベーション領域アンテナ（elevation domain antennas）は、異なる方向にステアリングされ得る。異なる方向にエレベーション領域アンテナをステアリングすることは、ユーザおよびトラフィック負荷のロケーションに応じて適応され得る、複数のエレベーション領域サブセクタの形成を可能にし得る。
【００３１】
[0046]大規模アンテナシステムでは、端末が推定する必要があり得るチャネル応答の数は、送信アンテナポートの数に比例し得る。チャネル品質インジケータ（ＣＱＩ：channel quality indicator）、プリコーディング行列インジケータ（ＰＭＩ）、またはランクインジケータ（ＲＩ：rank indicator）を使用する暗黙的ＣＳＩフィードバックの場合、ＣＳＩ報告を決定することに関与する複雑さは、アンテナポートの数とともに指数関数的に増加し得る。
【００３２】
[0047]ＣＳＩフィードバックのために必要とされるアップリンクリソースはまた、アンテナポートの数とともにスケーリングし得る。しかしながら、（たとえば、ＰＵＣＣＨを使用する周期ＣＳＩフィードバックのための）多重化ビット（multiplexing bits）の総数に制限があり得るので、データの量が多重化ビットの総数を超える場合、ＣＳＩはドロップされ得る。たとえば、ＰＵＣＣＨフォーマット３の場合、２２ビットが、ＨＡＲＱ−ＡＣＫと、スケジューリング要求（ＳＲ：scheduling request）ビットと、チャネル状態情報とを多重化するために使用され得、ＨＡＲＱ−ＡＣＫ、ＳＲ、およびＣＳＩのための総ビット数が２２ビットを超える場合、何らかの情報がドロップされ得る。
【００３３】
[0048]しかしながら、３Ｄ−ＭＩＭＯでは、すべてのアンテナポートが、ＵＥにとって可視とは限らず、たとえば、エレベーションアンテナポートがどのようにマッピングされるかに応じて、すべてのアンテナポートが、同じ信号強度でＵＥによって受信され得るとは限らない。しかしながら、弱いアンテナポートのためのＣＳＩを報告することは無意味であり得る。さらに、基地局に近接しているＵＥの場合、より少ないアンテナポートを用いたビームフォーミングが、十分なビームフォーミング利得および容量を達成し得る。これらのＵＥは、すべての送信アンテナポートからのビームフォーミングのためのＣＳＩフィードバックを提供する必要がない可能性がある。
【００３４】
[0049]したがって、３Ｄ−ＭＩＭＯおよび多数のアンテナポートの場合、３Ｄ−ＭＩＭＯ可能ＵＥ（3D-MIMO capable UE）がすべてのアンテナポートのためのＣＳＩを報告することは、必要であるとは限らない。たとえば、ＵＥがＰＵＣＣＨを使用してすべてのアンテナポートのための周期ＣＳＩフィードバックを送信しないことが、望ましいことがある。
【００３５】
[0050]たとえば、大きいアンテナアレイが３Ｄ  ＭＩＭＯ送信のために基地局において使用されるとき、アンテナ選択が、ＣＳＩ測定およびフィードバックのために適用され得る。
【００３６】
[0051]場合によっては、ＢＳは、ＣＳＩフィードバックオーバーヘッドを低減するようにＣＳＩ報告モードを構成し得る。たとえば、プリコーディング行列インジケータ（ＰＭＩ）またはランクインジケータ（ＲＩ）報告（ｐｍｉ−ＲＩ−報告（pmi-RI-Report））パラメータがＣＳＩ報告のために構成されない場合、ＵＥは、プリコーディングがないことを仮定して、送信ダイバーシティチャネル品質インジケータ（ＴＸ  Ｄｉｖ  ＣＱＩ：transmission diversity channel quality indicator）のみを報告し得、ＵＥは、ＰＭＩおよびＲＩを報告する必要がない。代替的に、ＵＥは、ｅＮＢにプリコーディングされたＣＱＩならびにアンテナポート数依存ＰＭＩおよび／またはＲＩ（antenna port number dependent PMI and/or RI）をフィードバックし得る。これらの報告モードは、ｐｍｉ−ＲＩ−報告パラメータがＣＳＩ報告のために構成されない場合、送信ビームフォーミングがＵＥからのフィードバックに基づかないことがあることを暗示する。代替的に、より少数のアンテナポートが、ＣＳＩフィードバックのために構成され得、これは、３Ｄ  ＭＩＭＯのための多数のアンテナポートの使用を制限し得る。
【００３７】
[0052]３Ｄ  ＭＩＭＯにおける多数のアンテナポートの使用を可能にするために、周期および非周期ＣＳＩ報告は、異なるＣＳＩパラメータを用いて構成され得る。周期ＣＳＩ報告は、若干の性能劣化とともに、３Ｄ  ＭＩＭＯ動作のための多数のアンテナポートのための制限されたＣＳＩを与え得、ＰＵＳＣＨを使用する非周期ＣＳＩ報告は、すべての構成されたアンテナポートのための完全なＣＳＩを与え得る。異なるパラメータを用いて周期および非周期ＣＳＩ報告を構成することは、たとえば、ＰＵＣＣＨ上の周期ＣＳＩフィードバックオーバーヘッドを低減し得る。いくつかの実施形態では、３Ｄ  ＭＩＭＯ可能ＵＥのためのｐｍｉ−ＲＩ−報告パラメータは、周期および非周期ＣＳＩ報告のために別々に構成され得る。たとえば、ｐｍｉ−ＲＩ−報告パラメータは、ＰＵＳＣＨを使用する非周期ＣＳＩ報告のために構成され得るが、ＰＵＣＣＨを使用する周期ＣＳＩ報告のために構成されない。いくつかの実施形態では、３Ｄ  ＭＩＭＯ可能ＵＥは、異なる数のＣＳＩ−ＲＳアンテナポートを用いて周期および非周期ＣＳＩ報告のために構成され得る。たとえば、周期ＣＳＩ報告のために構成されたアンテナポートは、非周期ＣＳＩ報告のために構成されたアンテナポートのサブセットであり得る。このサブセットは、（たとえば、上位レイヤシグナリングを使用して）ｅＮＢによって、または、自律的にＵＥによって構成され得る。
【００３８】
[0053]ＰＵＳＣＨを使用する周期ＣＱＩ報告は、非周期ＣＳＩ報告を構成するために使用される同じＣＳＩ報告パラメータを用いて構成され得る。
【００３９】
[0054]図７に、周期および非周期ＣＳＩ報告のためのｐｍｉ−ＲＩ−報告パラメータを別々に構成することの一例を示す。図示のように、ＵＥは、２つのｐｍｉ−ＲＩ−報告パラメータを用いて構成され得る。例示的な構成は、周期ＣＳＩ報告ではＣＱＩのみを報告すること、および非周期報告ではＣＱＩと、ＰＭＩと、ＲＩとを報告することを伴い得る。そのような構成は、周期ＣＳＩペイロードを低減し得、周期ＣＳＩ報告をＣＳＩ−ＲＳアンテナポートの数に依存しないようにさせ得る。
【００４０】
[0055]異なるパラメータを用いて周期および非周期ＣＳＩ報告を構成することは、いくつかの実施形態では、周期および非周期ＣＳＩ報告のための異なるアンテナ選択の使用を伴い得る。ＣＳＩフィードバックのためのアンテナ選択は、基地局またはＵＥのいずれかによって実行され得る。アンテナ選択が基地局によって実行されるかＵＥによって実行されるかにかかわらず、ＵＥは、非周期ＣＳＩ報告のために使用され得るＣＳＩ−ＲＳアンテナポートのフルセットを用いて構成され得る。
【００４１】
[0056]一態様では、基地局によって実行されるアンテナ選択は、以下のプロシージャを伴い得る。ＢＳは、ＵＥにＣＳＩ測定構成メッセージ（CSI measurement configuration message）を送信し得る。ＣＳＩ測定メッセージは、非周期ＣＳＩ測定および報告のために使用され得る時間周波数リソース構成およびＣＳＩ−ＲＳアンテナポートの総数を備え得る。アップリンク受信されたサウンディング基準信号（ＳＲＳ：sounding reference signals）に基づいて、ＢＳは、ＵＥのための周期ＣＳＩフィードバックのためのアンテナポートのサブセットを決定することができる。ＵＥは、ＢＳからアンテナポートのサブセットを示すメッセージを受信し得る。たとえば、このメッセージは、アンテナポートのビットマップを備え得、ここで、「１」の値は、周期ＣＳＩフィードバックのために使用され得るアンテナポートを表し、「０」の値は、周期ＣＳＩフィードバックのために使用されないことがあるアンテナポートを表す。ＵＥは、アンテナポートのサブセットのためのチャネル測定を実行し得る。チャネル測定は、ダウンリンクデータが、アンテナポートのサブセットのみから送信され得ると仮定することによって実行され得、ＣＳＩ報告が、サブセットの外側のアンテナ（すなわち、周期ＣＳＩフィードバックのために使用されないポート）からの送信をアンテナポートのサブセットへの干渉として扱うことによって生成され得る。アップリンク測定に基づいて、ＢＳは、周期ＣＳＩフィードバックのために選択されたアンテナポートのサブセットを更新し得る。
【００４２】
[0057]図８に、ＵＥによる周期および非周期ＣＳＩ報告を構成し、実行するためにＢＳによって実行されるアンテナ選択の一例を示す。周期ＣＳＩ報告のために、第１のＵＥは、アンテナポートの第１のセット（たとえば、アンテナポート０〜１５）を使用するように構成され得、第２のＵＥは、アンテナポートの第２のセット（たとえば、アンテナポート１６〜３１）を使用するように構成され得る。第１のＵＥおよび第２のＵＥは、選択されたアンテナポートのための周期ＣＳＩをフィードバックし得る。ＣＳＩフィードバックおよびアンテナポート選択に基づいて、ＢＳは、ユーザペアリング（user pairing）およびスケジューリングを実行し得、基地局のためのビームフォーミングベクトルを構成し得る。たとえば、ＢＳは、次の式に従って第１のＵＥのためのビームフォーミングベクトルを構成し得、  
【００４３】
【数１】
2019083543.tif 000003
次の式に従って第２のＵＥのためのビームフォーミングベクトルを構成し得る。  
【００４４】
【数２】
2019083543.tif 000004
上式で、Ｗ11およびＷ22は、それぞれ、第１のＵＥおよび第２のＵＥからの周期ＣＳＩ報告から決定されたプリコーディングベクトルを備える。たとえば、３２個のアンテナポートのセットの場合、Ｗ11およびＷ22は、１６×１プリコーディングベクトルをそれぞれ備え得る。
【００４５】
[0058]一態様では、ＵＥは、周期および非周期ＣＳＩ報告のためのアンテナ選択を実行し得る。ＵＥは、ＣＳＩ−ＲＳアンテナポートの総数と時間周波数リソース構成とを示し得る、ＣＳＩ測定構成をＢＳから受信する。ＵＥは、各アンテナポートのための受信信号電力を測定し得、これらの測定値に基づいてアンテナポートのセットを選択し得る。たとえば、周期ＣＳＩ報告の場合、ＵＥは、比較的強い受信電力測定値をもつアンテナポートのセットを選択し得る。ＵＥは、選択されたアンテナポートのための測定されたＣＳＩを報告し得、また、アンテナポート選択の指示（たとえば、上記で説明したものなどのビットマップ）をＢＳに報告し得る。
【００４６】
[0059]図９に、周期および非周期ＣＳＩ報告を構成し、実行するためにＵＥによって実行されるアンテナ選択の一例を示す。いくつかのＵＥが、アンテナポートの総数を用いて構成され得る。たとえば、図示のように、ＢＳは、合計３２個のアンテナポートを有し得、たとえば、複数のエレベーションサブベクトル（multiple elevation subvectors）を使用し得る。第１のＵＥは、ポートの第１のセット（たとえば、ポート０〜７）が最も強い受信信号電力を有すると決定し、周期ＣＳＩ報告のためにポートの第１のセットを選択し得る。第２のＵＥは、ポートの第２のセット（たとえば、ポート１６〜１９および２８〜３１）が最も強い受信信号電力を有すると決定し、周期ＣＳＩ報告のためにポートの第２のセットを選択し得る。ＵＥは、ＣＱＩ、ＰＭＩ、および／またはＲＩを含む、選択されたアンテナポートのＣＳＩを測定し、ＣＳＩならびにアンテナポート選択の指示をＢＳに報告し得る。
【００４７】
[0060]アンテナポート選択のフィードバックのためにビットマップパターンを使用することは、ビットマップパターンが多数のビット（たとえば、各アンテナに対して１ビット）の使用を伴い得るので、コストがかかり得る。アンテナ選択をシグナリングするために使用されるリソースの量を低減することが望ましいことがある。
【００４８】
[0061]さらに、ＰＭＩに関連するコードブックは、アレイ構造によって決定され得る。たとえば、離散フーリエ変換（ＤＦＴ）ベースのコードブックが、間隔が密な等間隔リニアアレイ（ＵＬＡ：uniform linear array）構造のために使用され得る。
【００４９】
[0062]任意のアンテナ選択が周期ＣＳＩ報告のために使用され得る場合、複数のコードブックセットは、異なるアレイ構造について定義される必要があり得る。複数のコードブックセットを定義することは、複雑さを増加させ得る。複雑さの増加を最小限に抑えるために、周期ＣＳＩ報告のためのアンテナポート選択を制限することが望ましいことがある。
【００５０】
[0063]図１０に、１６ポート２Ｄ均一平面アレイ（ＵＰＡ：uniform planar array）において使用され得るアンテナ選択オプションの一例を示す。アンテナ選択オプションにより、１６ポートＵＰＡは、選択された８つのポートのための共通コードブック構造が定義され得る８ポートＵＬＡにフォールバックし（falling back）得る。さらに、ＵＥは、アンテナ選択を表すビットマップよりも少ない数のビットを備え得る、周期ＣＳＩポート選択のフィードバックを与える必要があるにすぎない。たとえば、１６ポートアンテナアレイおよび４つのポート選択オプションの場合、ポート選択のフィードバックは、１６ビットではなく２ビットを備え得る。
【００５１】
[0064]一実施形態では、周期ＣＳＩ報告構成は、単一周波数ネットワーク（ＳＦＮ）同様のプリコーディング（single frequency network (SFN)-like precoding）を伴い得る。ＳＦＮ同様のプリコーディングは、構成されたＣＳＩ−ＲＳアンテナポートをいくつかのアンテナグループに分割することを伴い得る。たとえば、アンテナポートは、２Ｄ  ＵＰＡの列または行によってグループに分割され得る。アンテナグループの各々は、同じプリコーディングを採用し得、ＵＥは、各アンテナグループが同じプリコーディングを使用すると仮定することと、そのプリコーディングに基づいてアンテナグループを選択することとによって、アンテナグループを選択し得る。たとえば、ＵＥ  ｋは、Ｂ個のアンテナグループのための共通のプリコーディング行列Ｗkを報告し得る。Ｗkの列は、複合チャネル（composite channel）のＬk個の最大特異値（largest singular values）に対応するＬk個の右特異ベクトル（right singular vectors）を備え得る。  
【００５２】
【数３】
2019083543.tif 000005
上式で、
【００５３】
【数４】
2019083543.tif 000006
は、ｂ番目のアンテナグループのチャネル行列を表す。
【００５４】
[0065]図１１に、周期ＣＳＩ報告のためのＳＦＮ同様のプリコーディングの一例を示す。アンテナポートの２つのグループが示されており、しかしながら、ＢＳはアンテナポートの任意の数のグループを構成することができることが認識され得る。ＢＳがフィードバックプリコーディング行列Ｗkを受信するとき、ＢＳは、アンテナポートのための送信プリコーディングベクトルＷ(K)を構成し得る。たとえば、示されている２グループ例のための送信プリコーディングベクトルは、次の式に従って表され得る。  
【００５５】
【数５】
2019083543.tif 000007
受信された信号は、次の式に従って表され得る。  
【００５６】
【数６】
2019083543.tif 000008
【００５７】
[0066]図１２に、ＣＳＩ−ＲＳリソースを構成するための例示的な構造を示す。この例では、最高８つの非ゼロ電力（ＮＺＰ：non-zero power）ＣＳＩ−ＲＳアンテナポートが、各ＣＳＩ−ＲＳリソースのために構成され得る。ｒｅｓｏｕｒｃｅＣｏｎｆｉｇ要素は、ＣＳＩ−ＲＳ送信のために使用され得る周波数領域におけるリソース要素を定義し得、ｓｕｂｆｒａｍｅＣｏｎｆｉｇ要素は、ＣＳＩ−ＲＳのために使用され得る時間領域におけるサブフレームを定義し得る。ａｎｔｅｎｎａＰｏｒｔｓＣｏｕｎｔ要素は、より大きいＣＳＩ−ＲＳアンテナポート構成をサポートするために拡張され得る。ａｎｔｅｎｎａＰｏｒｔｓＣｏｕｎｔ要素を拡張することは、リソース要素に対する最大８ポートマッピング（a maximum of 8 port mappings to resource elements）に制限され得る、ｒｅｓｏｕｒｃｅＣｏｎｆｉｇ要素の変更を伴い得る。
【００５８】
[0067]多数のＣＳＩ−ＲＳアンテナポートをもつ複合ＣＳＩ−ＲＳリソースは、より少ない数のＣＳＩ−ＲＳアンテナポートを有する複数のＣＳＩ−ＲＳリソースから構築され得る。図１３に、より多い数のＣＳＩ−ＲＳポートを構成するための例示的な構造を示す。複数のＮＺＰ−ＣＳＩ−ＲＳリソースが、ＮＺＰ−ＣＳＩ−ＲＳ構成にアグリゲートされ（aggregated）得る。たとえば、図示のように、１６ＣＳＩ−ＲＳポート構成をサポートするために、２つのＮＺＰ−ＣＳＩ−ＲＳリソース（たとえば、ａｎｔｅｎｎａＰｏｒｔｓＣｏｕｎｔ、ｒｅｓｏｕｒｃｅＣｏｎｆｉｇ、およびｓｕｂｆｒａｍｅＣｏｎｆｉｇ要素の２つのセット）が、アグリゲートされ得る。図１４に、より多い数のＣＳＩ−ＲＳポートを構成するための別の例示的な構造を示す。複数のＮＺＰ−ＣＳＩ−ＲＳリソースが、ＣＳＩプロセス中に含められ得る。
【００５９】
[0068]ＮＺＰ−ＣＳＩ−ＲＳ構成のサイズを増加させることは、レガシーＵＥ（すなわち、非３Ｄ−ＭＩＭＯ可能ＵＥ（non-3D-MIMO-capable UEs））によるＰＤＳＣＨレートマッチング（PDSCH rate matching）が正しく実行されないことを引き起こし得る。データパンクチャリング（data puncturing）は、リソースブロックごとの基準信号オーバーヘッドが大きい場合、良好なダウンリンク性能を提供しないことがある。いくつかの実施形態では、レガシーＵＥによる成功したＰＤＣＣＨレートマッチング（successful PDCCH rate matching）を提供することは、複数のサブフレームにＣＳＩ−ＲＳポートを拡散することを伴い得る。サブフレームにわたってＣＳＩ−ＲＳポートを拡散することは、各リソースブロックのための小さい基準信号オーバーヘッドの維持を可能にし得る。たとえば、複数のサブフレームにＣＳＩ−ＲＳポートを拡散することは、レガシーＵＥ上への許容できる性能インパクトを提供するために、オーバーヘッドが、リソースブロックごとに、サブフレームごとに、８つのリソース要素よりも小さいかまたはそれに等しくなるように実行され得る。いくつかの実施形態では、ゼロ電力（ＺＰ）ＣＳＩ−ＲＳリソースの構成は、レガシーＵＥによる使用のために構成されないＮＺＰ−ＣＳＩ−ＲＳポートのために予約されたリソースを含むことができる。
【００６０】
[0069]図１５に、１６ポートＮＺＰ−ＣＳＩ−ＲＳ構成のための例示的なＮＺＰ−ＣＳＩ−ＲＳ構成を示す。サブフレームｎでは、レガシーＵＥと３Ｄ  ＭＩＭＯ  ＵＥとは、同じＮＺＰ−ＣＳＩ−ＲＳリソースを共有することができる。サブフレームｎ＋１では、３Ｄ  ＭＩＭＯ  ＵＥのためのＮＺＰ−ＣＳＩ−ＲＳリソースは、レガシーＵＥのためのＺＰ−ＣＳＩ−ＲＳリソースと重複することがある。したがって、レガシーＵＥは、３Ｄ  ＭＩＭＯ  ＵＥのための１６ポート構成の周りで（around the 16 port configuration）ＰＤＳＣＨレートマッチングを正しく実行することができる。
【００６１】
[0070]図１６に、本開示の態様による、ＣＳＩ報告のためのオーバーヘッドの低減を提供するために、基地局（たとえば、ｅノードＢ）によって実行され得る例示的な動作１６００を示す。動作１６００は１６０２において開始し得、ＢＳが、周期および非周期ＣＳＩ報告のための異なるパラメータを用いて３Ｄ  ＭＩＭＯが可能であるＵＥを構成し、ここにおいて、異なるパラメータが、どんなリソースを測定すべきかまたはどんな情報を報告すべきかのうちの少なくとも１つを示す。１６０４において、ＢＳは、構成に従ってＵＥから周期および非周期ＣＳＩ報告を受信する。
【００６２】
[0071]図１７に、本開示の態様による、ＣＳＩ報告のためのオーバーヘッドの低減を提供するために、ユーザ機器によって実行され得る例示的な動作１７００を示す。動作１７００は１７０２において開始し得、ＵＥが、ＢＳから、周期および非周期ＣＳＩ報告のための異なるパラメータの構成を受信し、ここにおいて、異なるパラメータが、どんなリソースを測定すべきかまたはどんな情報を報告すべきかのうちの少なくとも１つを示す。１７０４において、ＵＥは、その構成に従って周期および非周期ＣＳＩを測定し、報告する。
【００６３】
[0072]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６４】
[0073]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００６５】
[0074]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６６】
[0075]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。概して、図に示されている動作がある場合、それらの動作は、同様の番号をもつ対応するカウンターパートのミーンズプラスファンクション構成要素を有し得る。
【００６７】
[0076]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体との両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００６８】
[0077]本開示についての以上の説明は、当業者が本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2019083543.tif 000009
【図２】
2019083543.tif 000010
【図３】
2019083543.tif 000011
【図４】
2019083543.tif 000012
【図５】
2019083543.tif 000013
【図６Ａ】
2019083543.tif 000014
【図６Ｂ】
2019083543.tif 000015
【図７】
2019083543.tif 000016
【図８】
2019083543.tif 000017
【図９】
2019083543.tif 000018
【図１０】
2019083543.tif 000019
【図１１】
2019083543.tif 000020
【図１２】
2019083543.tif 000021
【図１３】
2019083543.tif 000022
【図１４】
2019083543.tif 000023
【図１５】
2019083543.tif 000024
【図１６】
2019083543.tif 000025
【図１７】
2019083543.tif 000026
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信の方法であって、
周期および非周期チャネル状態情報（ＣＳＩ）報告のための異なるパラメータを用いてＭＩＭＯが可能であるユーザ機器（ＵＥ）を構成することと、ここにおいて、前記異なるパラメータが、どんなリソースを測定すべきかまたはどんな情報を報告すべきかのうちの少なくとも１つを示し、ここにおいて、前記構成することが、
アンテナポートの第１のセットのために非周期的にＣＳＩを測定し、報告するように前記ＵＥを構成することと、
アンテナポートの第２のセットのために周期的にＣＳＩを測定し、報告するように前記ＵＥを構成することと
を備え、
前記構成に従って前記ＵＥから周期および非周期ＣＳＩ報告を受信することと
を備える、方法。
【請求項２】
前記ＵＥが、９つ以上のアンテナポートを用いた３Ｄ  ＭＩＭＯが可能である、請求項１に記載の方法。
【請求項３】
アンテナポートの前記第２のセットが、アンテナポートの前記第１のセットのサブセットを備える、請求項１に記載の方法。
【請求項４】
アンテナポートの前記第１のセットおよびアンテナポートの前記第２のセットの指示をシグナリングすることをさらに備える、請求項１に記載の方法。
【請求項５】
異なるＵＥについて、受信されたアップリンク基準信号に基づいて、アンテナポートの異なるサブセットを決定することをさらに備える、請求項１に記載の方法。
【請求項６】
異なるＵＥについて、前記ＵＥから受信された選択されたアンテナポートの指示に基づいて、アンテナポートの異なるサブセットを決定することをさらに備える、請求項１に記載の方法。
【請求項７】
前記指示が、複数のあらかじめ定義されたアンテナポート選択オプションのうちの１つを選択するために使用される、請求項６に記載の方法。
【請求項８】
ＭＩＭＯが可能なユーザ機器（ＵＥ）によるワイヤレス通信の方法であって、
基地局から、周期および非周期チャネル状態情報（ＣＳＩ）報告のための異なるパラメータの構成を受信することと、ここにおいて、前記異なるパラメータが、どんなリソースを測定すべきかまたはどんな情報を報告すべきかのうちの少なくとも１つを示し、ここにおいて、前記異なるパラメータが、
非周期的にＣＳＩを測定し、報告するためのアンテナポートの第１のセットと、
周期的にＣＳＩを測定し、報告するためのアンテナポートの第２のセットと
を備え、
前記構成に従って周期および非周期ＣＳＩを測定し、報告することと
を備える、方法。
【請求項９】
前記ＵＥが、９つ以上のアンテナポートを用いた３Ｄ  ＭＩＭＯが可能である、請求項８に記載の方法。
【請求項１０】
アンテナポートの前記第２のセットが、アンテナポートの前記第１のセットのサブセットを備える、請求項８に記載の方法。
【請求項１１】
前記基地局から、アンテナポートの前記第１のセットおよびアンテナポートの前記第２のセットを示すシグナリングを受信することをさらに備える、請求項８に記載の方法。
【請求項１２】
利用可能なアンテナポートの初期構成を受信することと、
前記利用可能なアンテナポートのサブセットの選択の指示を、前記アンテナポートのための受信された信号測定値に基づいて前記基地局に与えることと
をさらに備える、請求項８に記載の方法。
【請求項１３】
前記指示は、選択されたアンテナポートを示すビットマップ、ここにおいて、前記ビットマップが、利用可能なアンテナポートの数よりも少数のビットを備える、または選択されたアンテナポートを示すプリコーディング行列、のうちの少なくとも１つを備え、ここにおいて、前記指示が、複数のあらかじめ定義されたアンテナポート選択オプションのうちの１つを選択するための指示を備える、請求項１２に記載の方法。
【手続補正２】
【補正対象書類名】明細書
【補正対象項目名】００６８
【補正方法】変更
【補正の内容】
【００６８】
[0077]本開示についての以上の説明は、当業者が本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
基地局（ＢＳ）によるワイヤレス通信の方法であって、
周期および非周期チャネル状態情報（ＣＳＩ）報告のための異なるパラメータを用いてＭＩＭＯが可能であるユーザ機器（ＵＥ）を構成することと、ここにおいて、前記異なるパラメータが、どんなリソースを測定すべきかまたはどんな情報を報告すべきかのうちの少なくとも１つを示す、
前記構成に従って前記ＵＥから周期および非周期ＣＳＩ報告を受信することと
を備える、方法。
［Ｃ２］
前記ＵＥが、９つ以上のアンテナポートを用いた３Ｄ  ＭＩＭＯが可能である、Ｃ１に記載の方法。
［Ｃ３］
前記構成することが、
周期ＣＳＩ報告のための情報の第１のセットを報告するように前記ＵＥを構成することと、
非周期ＣＳＩ報告のための情報の第２のセットを報告するように前記ＵＥを構成することと
を備える、Ｃ１に記載の方法。
［Ｃ４］
情報の前記第１のセットでなく、情報の前記第２のセットが、プリコーディング行列インジケータ（ＰＭＩ）およびランク指示（ＲＩ）情報を備える、
Ｃ３に記載の方法。
［Ｃ５］
ＣＳＩが物理アップリンク共有チャネル（ＰＵＳＣＨ）を使用して非周期的に報告されるとき、情報の前記第２のセットはＰＭＩおよびＲＩ情報を備え、
ＣＳＩが物理アップリンク制御チャネル（ＰＵＣＣＨ）を使用して周期的に報告されるとき、情報の前記第１のセットはＰＭＩおよびＲＩ情報を備えない、
Ｃ４に記載の方法。
［Ｃ６］
前記構成することが、
アンテナポートの第１のセットのために非周期的にＣＳＩを測定し、報告するように前記ＵＥを構成することと、
アンテナポートの第２のセットのために周期的にＣＳＩを測定し、報告するように前記ＵＥを構成することと
を備える、Ｃ１に記載の方法。
［Ｃ７］
アンテナポートの前記第２のセットが、アンテナポートの前記第１のセットのサブセットを備える、Ｃ６に記載の方法。
［Ｃ８］
アンテナポートの前記第１のセットおよびアンテナポートの前記第２のセットの指示をシグナリングすることをさらに備える、Ｃ６に記載の方法。
［Ｃ９］
異なるＵＥについて、受信されたアップリンク基準信号に基づいて、アンテナポートの異なるサブセットを決定することをさらに備える、Ｃ６に記載の方法。
［Ｃ１０］
異なるＵＥについて、前記ＵＥから受信された選択されたアンテナポートの指示に基づいて、アンテナポートの異なるサブセットを決定することをさらに備える、Ｃ６に記載の方法。
［Ｃ１１］
前記指示が、複数のあらかじめ定義されたアンテナポート選択オプションのうちの１つを選択するために使用される、Ｃ１０に記載の方法。
［Ｃ１２］
ＭＩＭＯが可能なユーザ機器（ＵＥ）によるワイヤレス通信の方法であって、
基地局から、周期および非周期チャネル状態情報（ＣＳＩ）報告のための異なるパラメータの構成を受信することと、ここにおいて、前記異なるパラメータが、どんなリソースを測定すべきかまたはどんな情報を報告すべきかのうちの少なくとも１つを示す、
前記構成に従って周期および非周期ＣＳＩを測定し、報告することと
を備える、方法。
［Ｃ１３］
前記ＵＥが、９つ以上のアンテナポートを用いた３Ｄ  ＭＩＭＯが可能である、Calim１２に記載の方法。
［Ｃ１４］
前記異なるパラメータが、
周期ＣＳＩ報告のための情報の第１のセットと、
非周期ＣＳＩ報告のための情報の第２のセットと
を備える、Ｃ１２に記載の方法。
［Ｃ１５］
情報の前記第１のセットでなく、情報の前記第２のセットが、プリコーディング行列インジケータ（ＰＭＩ）およびランク指示（ＲＩ）情報を備える、
Ｃ１４に記載の方法。
［Ｃ１６］
ＣＳＩが物理アップリンク共有チャネル（ＰＵＳＣＨ）を使用して非周期的に報告されるとき、情報の前記第２のセットはＰＭＩおよびＲＩ情報を備え、
ＣＳＩが物理アップリンク制御チャネル（ＰＵＣＣＨ）を使用して周期的に報告されるとき、情報の前記第１のセットはＰＭＩおよびＲＩ情報を備えない、
Ｃ１５に記載の方法。
［Ｃ１７］
前記異なるパラメータが、
非周期的にＣＳＩを測定し、報告するためのアンテナポートの第１のセットと、
周期的にＣＳＩを測定し、報告するためのアンテナポートの第２のセットと
を備える、Ｃ１２に記載の方法。
［Ｃ１８］
アンテナポートの前記第２のセットが、アンテナポートの前記第１のセットのサブセットを備える、Ｃ１７に記載の方法。
［Ｃ１９］
前記基地局から、アンテナポートの前記第１のセットおよびアンテナポートの前記第２のセットを示すシグナリングを受信することをさらに備える、Ｃ１７に記載の方法。
［Ｃ２０］
利用可能なアンテナポートの初期構成を受信することと、
前記利用可能なアンテナポートのサブセットの選択の指示を、前記アンテナポートのための受信された信号測定値に基づいて前記基地局に与えることと
をさらに備える、Ｃ１７に記載の方法。
［Ｃ２１］
前記指示は、選択されたアンテナポートを示すビットマップ、ここにおいて、前記ビットマップが、利用可能なアンテナポートの数よりも少数のビットを備える、または選択されたアンテナポートを示すプリコーディング行列、のうちの少なくとも１つを備え、ここにおいて、前記指示が、複数のあらかじめ定義されたアンテナポート選択オプションのうちの１つを選択するための指示を備える、Ｃ２０に記載の方法。
【外国語明細書】
2019083543000001.pdf